(57)【要約】【課題】テレビ放送信号を増幅するテレビ放送信号増幅装置において、テレビ放送がアナログ放送からデジタル放送に移行した際に消費電力を充分低減できるようにする。【解決手段】切換スイッチ３２が、ＶＨＦ増幅回路８へ電源電圧を供給する側に切り換えられているときには、ＵＨＦ増幅回路１０にも電源電圧をそのまま供給して、アクティブＬＰＦ２６のカットオフ周波数を７７０ＭＨｚに設定する。一方、切換スイッチ３２がＶＨＦ増幅回路８への電源供給を遮断する側に切り換えられると、抵抗４０によりＵＨＦ増幅回路１０への供給電流を抑えて、その最大出力レベルを低減すると共に、アクティブＬＰＦ２６のカットオフ周波数を７１０ＭＨｚに切り換え、更に、ＶＨＦ帯のテレビ放送信号の入力経路を抵抗５８により終端する。【選択図】図１
2010010756.tif 000002
【特許請求の範囲】
【請求項１】
ＵＨＦ帯のテレビ放送信号を増幅するＵＨＦ増幅回路と、
前記ＵＨＦ増幅回路にＵＨＦ帯のテレビ放送信号を入力する第１フィルタ手段と、
を備えたテレビ放送信号増幅装置において、
外部操作若しくは外部から入力される切換指令に従い、前記ＵＨＦ増幅回路の消費電力を低減して前記ＵＨＦ帯のテレビ放送信号の最大出力レベルを低下させる出力切換手段を設けたことを特徴とするテレビ放送信号増幅装置。
【請求項２】
前記第１フィルタ手段は、前記ＵＨＦ帯のテレビ放送信号の通過周波数帯域幅を調整可能に構成されており、
前記出力切換手段は、前記ＵＨＦ増幅回路の消費電力を低減すると同時に、前記第１フィルタ手段のテレビ放送信号の通過周波数帯域幅を狭くすることを特徴とする請求項１に記載のテレビ放送信号増幅装置。
【請求項３】
ＶＨＦ帯のテレビ放送信号を増幅するＶＨＦ増幅回路と、
前記ＶＨＦ増幅回路にＶＨＦ帯のテレビ放送信号を入力する第２フィルタ手段と、
前記ＵＨＦ増幅回路及びＶＨＦ増幅回路にて増幅されたテレビ放送信号を混合して端末側に出力する混合手段と、
を備え、前記出力切換手段は、前記ＵＨＦ増幅回路の消費電力を低減すると同時に、前記ＶＨＦ増幅回路への電源供給を遮断して、前記ＶＨＦ増幅回路の動作を停止させることを特徴とする請求項１又は請求項２に記載のテレビ放送信号増幅装置。
【請求項４】
前記出力切換手段は、前記ＶＨＦ増幅回路への電源供給を遮断すると同時に、前記第２フィルタ手段へのＶＨＦ帯のテレビ放送信号の入力経路を、当該入力経路の伝送インピーダンスにて終端することを特徴とする請求項３に記載のテレビ放送信号増幅装置。
【請求項５】
前記出力切換手段は、外部操作によって電源供給経路を切り換える切換スイッチからなることを特徴とする請求項１〜請求項４の何れかに記載のテレビ放送信号増幅装置。
【請求項６】
前記出力切換手段は、当該テレビ放送信号増幅装置に接続されたテレビ放送信号の伝送線を介して入力される切換指令信号に従い電源供給経路を切り換える制御回路にて構成されていることを特徴とする請求項１〜請求項４の何れかに記載のテレビ放送信号増幅装置。
【発明の詳細な説明】
【技術分野】
【０００１】
本発明は、テレビ放送信号を増幅して端末側に出力するテレビ放送信号増幅装置に関する。
【背景技術】
【０００２】
従来、受信アンテナにて受信されたテレビ放送信号を増幅し、伝送線（同軸ケーブル等）を介して端末側に出力するテレビ放送信号増幅装置（所謂ブースタ）として、ＶＨＦ帯のテレビ放送信号とＵＨＦ帯のテレビ放送信号とをそれぞれ増幅する２種類の増幅回路（ＶＨＦ増幅回路及びＵＨＦ増幅回路）を備えたものが知られている。
【０００３】
また、現在、地上波によるテレビ放送は、ＶＨＦ帯及びＵＨＦ帯の電波を利用するアナログ放送と、ＵＨＦ帯の電波のみを利用するデジタル放送とが存在し、これら各放送でサイマル放送が行われているが、アナログ放送は、２０１１年に終了し、その後、地上波テレビ放送は、デジタル放送だけになる。
【０００４】
そこで、この種のテレビ放送信号増幅装置においては、ＶＨＦ増幅回路への電源供給経路を遮断するスイッチを設け、アナログ放送が終了した際には、このスイッチを操作してＶＨＦ増幅回路の動作を停止させることで、ＶＨＦ帯の不要な信号（ノイズ等）が端末側に出力されるのを防止することが提案されている（例えば、特許文献１等参照）。
【特許文献１】特開２００４−３２０４１６号公報
【発明の開示】
【発明が解決しようとする課題】
【０００５】
上記提案のテレビ放送信号増幅装置によれば、アナログ放送が終了したときに、ＶＨＦ増幅回路の動作を停止させることができるので、テレビ放送信号増幅装置全体の消費電力を抑えて、省エネ化を図ることができる。
【０００６】
しかし、上記提案のテレビ放送信号増幅装置では、スイッチが切り換えられても、ＵＨＦ増幅回路はそのまま動作するので、ＵＨＦ増幅回路での消費電力は変わらず、電力を無駄に消費してしまうという問題があった。
【０００７】
つまり、デジタル放送は、アナログ放送に比べて電波妨害に強く、テレビ放送信号増幅装置からの出力レベルが、アナログ放送では画質が劣化してしまうレベルであっても、デジタル放送では鮮明な画像が得られることがあるため、放送局からのデジタル放送の電波の送信電力は、アナログ放送に比べて低くなっている。
【０００８】
このため、テレビ放送信号増幅装置において、デジタル放送のテレビ放送信号のみを増幅すればよい場合には、ＵＨＦ増幅回路の消費電力を低減させて、その最大出力レベル（定格出力）を低下させることができる。
【０００９】
しかし、上記提案のテレビ放送信号増幅装置は、アナログ放送の終了時に、スイッチを介してＶＨＦ増幅回路の動作を停止させることができるだけであるので、ＵＨＦ増幅回路の消費電力を低減させることができず、充分な省エネ化を図ることができなかった。
【００１０】
本発明は、こうした問題に鑑みなされたものであり、テレビ放送信号を増幅するテレビ放送信号増幅装置において、テレビ放送がアナログ放送からデジタル放送に移行した際に消費電力を充分低減できるようにすることを目的とする。
【課題を解決するための手段】
【００１１】
かかる目的を達成するためになされた請求項１に記載の発明は、ＵＨＦ帯のテレビ放送信号を増幅するＵＨＦ増幅回路と、前記ＵＨＦ増幅回路にＵＨＦ帯のテレビ放送信号を入力する第１フィルタ手段とを備えたテレビ放送信号増幅装置において、外部操作若しくは外部から入力される切換指令に従い、前記ＵＨＦ増幅回路の消費電力を低減して前記ＵＨＦ帯のテレビ放送信号の最大出力レベルを低下させる出力切換手段を設けたことを特徴とする。
【００１２】
また、請求項２に記載の発明は、請求項１に記載のテレビ放送信号増幅装置において、前記第１フィルタ手段は、前記ＵＨＦ帯のテレビ放送信号の通過周波数帯域幅を調整可能に構成されており、前記出力切換手段は、前記ＵＨＦ増幅回路の消費電力を低減すると同時に、前記第１フィルタ手段のテレビ放送信号の通過周波数帯域幅を狭くすることを特徴とする。
【００１３】
次に、請求項３に記載の発明は、請求項１又は請求項２に記載のテレビ放送信号増幅装置において、ＶＨＦ帯のテレビ放送信号を増幅するＶＨＦ増幅回路と、前記ＶＨＦ増幅回路にＶＨＦ帯のテレビ放送信号を入力する第２フィルタ手段と、前記ＵＨＦ増幅回路及びＶＨＦ増幅回路にて増幅されたテレビ放送信号を混合して端末側に出力する混合手段とを備え、前記出力切換手段は、前記ＵＨＦ増幅回路の消費電力を低減すると同時に、前記ＶＨＦ増幅回路への電源供給を遮断して、前記ＶＨＦ増幅回路の動作を停止させることを特徴とする。
【００１４】
また次に、請求項４に記載の発明は、請求項３に記載のテレビ放送信号増幅装置において、前記出力切換手段は、前記ＶＨＦ増幅回路への電源供給を遮断すると同時に、前記第２フィルタ手段へのＶＨＦ帯のテレビ放送信号の入力経路を、当該入力経路の伝送インピーダンスにて終端することを特徴とする。
【００１５】
また、請求項５に記載の発明は、請求項１〜請求項４の何れかに記載のテレビ放送信号増幅装置において、前記出力切換手段は、外部操作によって電源供給経路を切り換える切換スイッチからなることを特徴とする。
【００１６】
また、請求項６に記載の発明は、請求項１〜請求項４の何れかに記載のテレビ放送信号増幅装置において、前記出力切換手段は、当該テレビ放送信号増幅装置に接続されたテレビ放送信号の伝送線を介して入力される切換指令信号に従い電源供給経路を切り換える制御回路にて構成されていることを特徴とする。
【発明の効果】
【００１７】
請求項１に記載のテレビ放送信号増幅装置によれば、外部操作若しくは外部から入力される切換指令に従い、ＵＨＦ増幅回路の消費電力を低減して、ＵＨＦ帯のテレビ放送信号の最大出力レベルを低下させる出力切換手段が設けられている。
【００１８】
このため、請求項１に記載のテレビ放送信号増幅装置によれば、例えば、アナログ放送が終了した際、出力切換手段を操作するか、或いは、出力切換手段に切換指令を入力することにより、ＵＨＦ増幅回路での消費電力を低減させることができる。
【００１９】
なお、ＵＨＦ増幅回路の消費電力を低減させると、ＵＨＦ増幅回路からの最大出力レベルが低下するが、上述したように、放送局からのデジタル放送の電波の送信電力は、アナログ放送に比べて低く設定されているため、ＵＨＦ増幅回路の最大出力レベルの低下量が、放送局からの送信電力の低下量に対応するよう、消費電力の低減量を設定すれば、ＵＨＦ増幅回路で生じる歪みや端末側で得られる画像が劣化することはない。
【００２０】
次に、請求項２に記載のテレビ放送信号増幅装置においては、出力切換手段が、ＵＨＦ増幅回路の消費電力を低減すると同時に、第１フィルタ手段のテレビ放送信号の通過周波数帯域幅を狭くする。
【００２１】
これは、ＵＨＦ帯のアナログ放送では、４７０ＭＨｚ〜７７０ＭＨｚの周波数範囲内の電波が使用されるのに対し、デジタル放送では、４７０ＭＨｚ〜７１０ＭＨｚの周波数範囲内の電波が使用されるためである。
【００２２】
つまり、請求項２に記載のテレビ放送信号増幅装置においては、アナログ放送が終了した際に、出力切換手段を動作させて、ＵＨＦ増幅回路の消費電力を低減した際、同時に、第１フィルタ手段のテレビ放送信号の通過周波数帯域幅を狭くすることで、ＵＨＦ増幅回路が不要信号（周波数が７１０ＭＨｚを超える信号等）を増幅するのを防止し、これによって、ＵＨＦ増幅回路での消費電力を抑えると共に、不要信号が端末側に出力されるのを防止するのである。
【００２３】
次に、請求項３に記載のテレビ放送信号増幅装置には、ＶＨＦ増幅回路と、ＶＨＦ増幅回路にＶＨＦ帯のテレビ放送信号を入力する第２フィルタ手段と、ＵＨＦ増幅回路及びＶＨＦ増幅回路にて増幅されたテレビ放送信号を混合して端末側に出力する混合手段とが設けられており、出力切換手段は、ＵＨＦ増幅回路の消費電力を低減すると同時に、ＶＨＦ増幅回路への電源供給を遮断して、ＶＨＦ増幅回路の動作を停止させる。
【００２４】
従って、この請求項３に記載のテレビ放送信号増幅装置によれば、アナログ放送が終了した際に、出力切換手段を動作させることで、ＶＨＦ増幅回路での消費電力を「０」にして、テレビ放送信号増幅装置全体での消費電力を低減することができる。
【００２５】
また、請求項４に記載のテレビ放送信号増幅装置において、出力切換手段は、ＶＨＦ増幅回路への電源供給を遮断すると同時に、第２フィルタ手段へのＶＨＦ帯のテレビ放送信号の入力経路を、その経路の伝送インピーダンスにて終端する。
【００２６】
このため、ＵＨＦ増幅回路とＶＨＦ増幅回路とが設けられたテレビ放送信号増幅装置において、ＶＨＦ増幅回路の動作を停止した際、ヘッドエンド側から入力されるＶＨＦ帯の不要信号（ノイズ等）が当該増幅装置内を通過して、端末側に出力されるのを防止できる。
【００２７】
なお、本発明（請求項１〜請求項４）のテレビ放送信号増幅装置において、出力切換手段は、請求項５に記載のように、外部操作によって電源供給経路を切り換える切換スイッチにて構成してもよく、或いは、請求項６に記載のように、当該テレビ放送信号増幅装置に接続されたテレビ放送信号の伝送線を介して入力される切換指令信号に従い電源供給経路を切り換える制御回路にて構成してもよい。
【００２８】
そして、出力切換手段を請求項６に記載のように構成すれば、端末側からの遠隔操作によって、ＵＨＦ増幅回路の消費電力を初めとする各種切換を行うことができるようになり、逆に、出力切換手段を請求項５に記載のように構成すれば、ＵＨＦ増幅回路の消費電力を初めとする各種切換を遠隔操作で行うことはできないものの、テレビ放送信号増幅装置に切換スイッチを設けるだけでよいため、装置構成を簡単にすることができる。
【発明を実施するための最良の形態】
【００２９】
以下に本発明の実施形態を図面と共に説明する。
図１は、本発明が適用された実施形態のテレビ放送信号増幅装置全体の構成を表すブロック図である。
【００３０】
本実施形態のテレビ放送信号増幅装置は、ＵＨＦ帯及びＶＨＦ帯のテレビ放送信号を増幅し、同軸ケーブルを介して端末側に出力するためのもの（ブースタ）であり、ＶＨＦ帯のテレビ放送信号を入力するためのＶＨＦ入力端子２と、ＵＨＦ帯のテレビ放送信号、若しくはＵＨＦ帯及びＶＨＦ帯のテレビ放送信号を混合した混合信号を入力するためのＵＨＦ入力端子４と、増幅後のテレビ放送信号を出力するための出力端子６と、ＶＨＦ帯のテレビ放送信号を増幅するＶＨＦ増幅回路８と、ＵＨＦ帯のテレビ放送信号を増幅するＵＨＦ増幅回路１０と、を備える。
【００３１】
そして、ＶＨＦ入力端子２に入力されたＶＨＦ帯のテレビ放送信号は、直流信号成分を遮断しテレビ放送信号を通過させるコンデンサ１１，１２を介して、ＶＨＦ帯のテレビ放送信号のみを選択的に通過させる、カットオフ周波数が例えば２２２ＭＨｚに設定されたローパスフィルタ（ＬＰＦ）１４に入力される。なお、以下の説明において、コンデンサは、全て、直流信号成分を遮断しテレビ放送信号を通過させるためのものである。
【００３２】
また、ＵＨＦ入力端子４にＵＨＦ帯のテレビ放送信号と共に入力されたＶＨＦ帯のテレビ放送信号は、ＬＰＦ１４と同様に構成されたＬＰＦ２２、及び、高周波スイッチ２０を介して、ＬＰＦ１４に入力される。
【００３３】
なお、高周波スイッチ２０は、ＵＨＦ入力端子４にＵＨＦ帯のテレビ放送信号とＶＨＦ帯のテレビ放送信号とを混合入力する際に手動でオン状態に切り換えられる信号入力切換用のスイッチである。また、
そして、ＬＰＦ１４に入力されたＶＨＦ帯のテレビ放送信号は、ＬＰＦ１４にて、不要信号成分が除去された後、ＶＨＦ増幅回路８に入力され、ＶＨＦ増幅回路８にて所定ゲインで増幅される。
【００３４】
一方、ＵＨＦ入力端子４に入力されたＵＨＦ帯のテレビ放送信号は、ＵＨＦ帯のテレビ放送信号のみを選択的に通過させる、カットオフ周波数が例えば４７０ＭＨｚのハイパスフィルタ（ＨＰＦ）２４、及び、カットオフ周波数を７７０ＭＨｚ及び７１０ＭＨｚの何れかに設定可能なアクティブＬＰＦ２６を介して、ＵＨＦ増幅回路１０に入力され、ＵＨＦ増幅回路１０にて所定ゲインで増幅される。
【００３５】
そして、各増幅回路８、１０にて増幅されたＶＨＦ帯及びＵＨＦ帯のテレビ放送信号は、ＬＰＦ１６及びＨＰＦ２８に入力されて、その出力側で混合され、コンデンサ１８及び出力端子６を介して、端末側へ出力される。なお、ＬＰＦ１６及びＨＰＦ２８は、それぞれ、ＬＰＦ１４及びＨＰＦ２４と同様のカットオフ周波数に設定されている。
【００３６】
次に、出力端子６には、同軸ケーブルを介して端末側から供給される電源電圧（例えば、直流１５Ｖ）を取り込み、高周波信号の通過を阻止するチョークコイル３０の一端が接続されており、このチョークコイル３０の他端は、切換スイッチ３２に接続されると共に、高周波信号除去用のコンデンサ４１を介してグランドに接地されている。
【００３７】
切換スイッチ３２は、電源電圧をＶＨＦ増幅回路８に供給するか、ＶＨＦ増幅回路８への供給を遮断するかを切り換えるためのものであり、もう一つの切換スイッチ３６と連動して、手動操作により切り換えられる。
【００３８】
そして、この切換スイッチ３２が、電源電圧をＶＨＦ増幅回路８に供給する側に切り換えられると（図に示す切換位置にあるとき）、切換スイッチ３２から、チョークコイル３４を介して、ＶＨＦ増幅回路８へ電源電圧が供給され、ＶＨＦ増幅回路８が動作する。なお、チョークコイル３４からＶＨＦ増幅回路８への電源供給ラインは、高周波信号除去用のコンデンサ４３を介してグランドに接地されている。
【００３９】
また、切換スイッチ３２のチョークコイル３４側接点は、抵抗４６及びチョークコイル４８を介して、アクティブＬＰＦ２６に接続されている。また、抵抗４６とチョークコイル４８との接続点には、アクティブＬＰＦ２６への入力電圧の上限を所定のツェナー電圧以下に制限するためのツェナーダイオード５０と、一端がグランドに接地されたコンデンサ５２が接続されている。そして、ツェナーダイオード５０は、カソードが抵抗４６とチョークコイル４８との接続点に接続され、アノードはグランドに接地されている。
【００４０】
このため、切換スイッチ３２が電源電圧をＶＨＦ増幅回路８に供給する側に切り換えられているとき、アクティブＬＰＦ２６には、ツェナーダイオード５０のツェナー電圧で決まる一定のチューニング電圧Ｖ１が入力され、アクティブＬＰＦ２６は、このチューニング電圧Ｖ１により、カットオフ周波数が７７０ＭＨｚに設定される。なお、アクティブＬＰＦ２６の構成については、後述する。
【００４１】
次に、切換スイッチ３２と連動して切り換えられる切換スイッチ３６は、ＵＨＦ増幅回路１０の電源供給ラインにチョークコイル３８を介して接続されており、切換スイッチ３２が電源電圧をＶＨＦ増幅回路８に供給する側に切り換えられた際には、そのチョークコイル３８の他端を、切換スイッチ３２のチョークコイル３４側接点に接続する位置（図に示す切換位置）に切り換えられる。
【００４２】
また、切換スイッチ３６は、切換スイッチ３２が電源電圧をＶＨＦ増幅回路８に供給する側とは反対側に切り換えられた際には、切換スイッチ３２のチョークコイル３４側接点とは反対側接点に抵抗４０を介して接続される。
【００４３】
このため、ＶＨＦ増幅回路８の動作時には、ＵＨＦ増幅回路１０に、切換スイッチ３２、切換スイッチ３６及びチョークコイル３８を介して、電源電圧が供給され、ＶＨＦ増幅回路８の動作停止時には、ＵＨＦ増幅回路１０に、切換スイッチ３２、抵抗４０、切換スイッチ３６及びチョークコイル３８を介して、電源電圧が供給されることになる。
【００４４】
従って、ＶＨＦ増幅回路８の動作停止時にＵＨＦ増幅回路１０に供給される電流は、抵抗４０により制限されることになり、ＶＨＦ増幅回路８の動作停止時には、ＵＨＦ増幅回路１０の消費電力（延いてはＵＨＦ増幅回路１０からのテレビ放送信号の最大出力レベル）が、ＶＨＦ増幅回路８の動作時よりも抑制されることになる。
【００４５】
また、このようにＵＨＦ増幅回路１０への供給電流を制限する抵抗４０の切換スイッチ３２側端部は、コンデンサ５９を介してグランドに接地されると共に、チョークコイル５４を介して、コンデンサ１１と１２との間のテレビ放送信号（ＶＨＦ帯）の入力経路に接続されている。
【００４６】
そして、この入力経路には、ＰＩＮダイオード５６のアノードが接続されており、更に、このＰＩＮダイオード５６のカソードは、この入力経路（換言すればＶＨＦ帯のテレビ放送信号を伝送してくる同軸ケーブル）の伝送インピーダンスと略同じ抵抗（例えば７５Ω）を有する抵抗５８を介して、グランドに接地されている。
【００４７】
このため、ＰＩＮダイオード５６には、ＶＨＦ増幅回路８の動作停止時に電流が流れ、ＶＨＦ帯のテレビ放送信号の入力経路が、その伝送インピーダンスを有する抵抗５８にて終端されることになる。
【００４８】
次に、図２は、アクティブＬＰＦ２６の構成及びカットオフ周波数の切換動作を表す説明図である。
図２（ａ）に示すように、アクティブＬＰＦ２６は、ＵＨＦ帯のテレビ放送信号を入出力する入力端子６０及び出力端子７０を備え、これら各端子６０、７０間には、入力端子６０側から順に、コンデンサ６１、コイル６２、６４、６６及びコンデンサ６７が設けられている。
【００４９】
また、コイル６２と６４との間、及び、コイル６４と６６との間には、それぞれ、コイル６２、６４、６６と共にローパスフィルタを構成するために、一端がグランドに接地された容量可変コンデンサ７２、７６、及び、一端がグランドに接地されたバリキャップ７４、７８が接続されている。
【００５０】
また、コイル６６と、コンデンサ６７との間には、チョークコイル７９の一端が接続されており、チョークコイル７９の他端は、コンデンサ７１を介してグランドに接地されると共に、可変抵抗８０の可動接点に接続されている。
【００５１】
なお、可変抵抗８０は、一端が接地されており、他端にチューニング電圧を受けて、チューニング電圧を分圧した分圧電圧をバリキャップ７４、７８に印加するものである。
そして、このアクティブＬＰＦ２６は、図２（ｂ）に示すように、チューニング電圧が０Ｖであるときに、容量可変コンデンサ７２、７６の容量を調整することにより、ＶＨＦ増幅回路８の動作停止時のカットオフ周波数が７１０ＭＨｚとなるように設定され、チューニング電圧がツェナーダイオード５０により設定される所定電圧Ｖ１であるとき、可変抵抗８０による分圧抵抗を調整することで、ＶＨＦ増幅回路８の動作停止時のカットオフ周波数が７７０ＭＨｚとなるように設定されている。
【００５２】
以上説明したように、本実施形態のテレビ放送信号増幅装置によれば、切換スイッチ３２が、ＶＨＦ増幅回路８へ電源電圧を供給して、ＶＨＦ増幅回路８を動作させる側に切り換えられているときには、ＵＨＦ増幅回路１０にも電源電圧がそのまま供給されると共に、アクティブＬＰＦ２６のカットオフ周波数が７７０ＭＨｚに設定されることから、ＶＨＦ帯及びＵＨＦ帯の各テレビ放送信号をそれぞれ増幅することができる。
【００５３】
これに対し、切換スイッチ３２がＶＨＦ増幅回路８への電源供給を遮断する側に切り換えられると、単にＶＨＦ増幅回路８の増幅動作が停止されるだけでなく、抵抗４０によりＵＨＦ増幅回路１０への供給電流が抑制されて、ＵＨＦ増幅回路１０の最大出力レベルが低減されると共に、アクティブＬＰＦ２６のカットオフ周波数が７１０ＭＨｚに切り換えられて、ＵＨＦ増幅回路１０へ入力可能なＵＨＦ帯のテレビ放送信号の周波数帯域幅が狭くなり、更に、ＶＨＦ帯のテレビ放送信号の入力経路が抵抗５８により終端される。
【００５４】
このため、本実施形態のテレビ放送信号増幅装置によれば、例えば、アナログ放送が終了した際、切換スイッチ３２を、ＶＨＦ増幅回路８への電源供給を遮断する側に切り換えるようにすれば、ＶＨＦ増幅回路８及びアクティブＬＰＦ２６での消費電力を「０」にすると共に、ＵＨＦ増幅回路１０での消費電力を低減させて、テレビ放送信号増幅装置での消費電力量を必要最小限に抑えることができる。
【００５５】
また、このように、ＶＨＦ増幅回路８への電源供給を遮断する側に切り換えた際には、ＵＨＦ増幅回路１０に７１０ＭＨｚを超える不要信号が入力されるのを防止できると共に、ＶＨＦ帯の不要信号が装置内に入力されるのを防止できることから、これらの不要信号が出力端子６から端末側に伝送されるのを防止し、端末側に出力されるテレビ放送信号の信号品質を向上することができる。
【００５６】
なお、本実施形態において、ＨＰＦ２４及びアクティブＬＰＦ２６は、本発明の第１フィルタ手段に相当し、ＬＰＦ１４、２２は、本発明の第２フィルタ手段に相当し、切換スイッチ３２、３６及びこれに接続された各素子は、本発明の出力切換手段に相当する。
【００５７】
以上、本発明の一実施形態について説明したが、本発明は、上記実施形態に限定されるものではなく、本発明の要旨を逸脱しない範囲内にて、種々の態様をとることができる。
例えば、上記実施形態では、手動操作される切換スイッチ３２、３６にて、ＶＨＦ増幅回路８及びＵＨＦ増幅回路１０への電源供給等を切り換えるものとして説明したが、例えば、端末側から伝送線（同軸ケーブル）を介して電源電圧を供給する電源装置に、電源電圧への制御信号（パルス信号、トーン信号等）の重畳、若しくは、電源電圧の極性又は電圧値の切り換え等によって、電源供給の切換指令信号を送信する指令回路を設け、使用者が、この切換回路を動作させることにより、テレビ放送信号増幅装置に電源供給の切換指令を送信するようにしてもよい。
【００５８】
この場合、テレビ放送信号増幅装置には、図３に例示するように、端末側から供給される電源電圧に基づき、切換指令信号の有無を判別する判別回路８２と、この判別回路８２による判別結果に従い、ＶＨＦ増幅回路８、ＵＨＦ増幅回路１０、アクティブＬＰＦ２６及びＰＩＮダイオード５６への供給電圧を、上記実施形態と同様に切り換える制御回路８４とを設ける必要があるが、端末側からの遠隔操作によって、ＶＨＦ増幅回路８の動作停止、ＵＨＦ増幅回路１０の消費電力等を切り換えることができることから、使用者は、切換操作を簡単に行うことができる。
【００５９】
また、上記実施形態では、ＶＨＦ増幅回路８の動作停止時にＵＨＦ増幅回路１０の消費電力を低減する際には、ＵＨＦ増幅回路１０への電源供給経路に抵抗４０を接続して、この抵抗４０によりＵＨＦ増幅回路１０への供給電力を抑制するものとしたが、例えば、図４に示すように、ＵＨＦ増幅回路１０を構成する出力トランジスタ９０のベース電圧を設定する分圧抵抗を、電源電圧側の抵抗Ｒ１と、グランド側の直列抵抗Ｒ２、Ｒ３とから構成し、この直列抵抗Ｒ２、Ｒ３の内、グランド側の抵抗Ｒ３には、その両端を短絡するためのスイッチング素子（トランジスタ）８８を設けて、ＶＨＦ増幅回路８の動作停止時にこのスイッチング素子８８をオンするようにしてもよい。
【００６０】
つまり、このようにすれば、ＶＨＦ増幅回路８の動作停止時には、ＶＨＦ増幅回路８の動作時（スイッチング素子８８のＯＦＦ時）に比べて、出力トランジスタ９０のベース電圧（バイアス電圧）が低くなって、出力トランジスタ９０に流れる電流（バイアス電流及び出力電流）が低下し、ＵＨＦ増幅回路１０での消費電力が低減されることになる。
【００６１】
よって、ＵＨＦ増幅回路１０の出力トランジスタ９０のバイアス回路を図４に示すように構成して、切換スイッチ３２の切換操作若しくは外部からの切換指令に連動してスイッチング素子８８をオンさせるようにしても、上記実施形態と同様、ＶＨＦ増幅回路８の動作停止時に、ＵＨＦ増幅回路１０での消費電力を低減することができるようになる。
【００６２】
一方、上記実施形態では、ＶＨＦ帯及びＵＨＦ帯のテレビ放送信号をそれぞれ増幅する増幅回路を備えたテレビ放送信号増幅装置について説明したが、本発明は、ＵＨＦ帯のテレビ放送信号のみを増幅するテレビ放送信号増幅装置であっても、或いは、ＶＨＦ帯及びＵＨＦ帯のテレビ放送信号の増幅回路に加えて、ＢＳ、ＣＳといった衛星放送の受信信号（中間周波信号）を増幅する増幅回路を備えたテレビ放送信号増幅装置であっても、上記実施形態と同様に適用することができる。
【図面の簡単な説明】
【００６３】
【図１】実施形態のテレビ放送信号増幅装置の構成を表すブロック図である。
【図２】アクティブＬＰＦの構成及びカットオフ周波数の切換動作を表す説明図である。
【図３】テレビ放送信号増幅装置の変形例を表すブロック図である。
【図４】消費電力を低減可能なＵＨＦ増幅回路の構成例を表す回路図である。
【符号の説明】
【００６４】
２…ＶＨＦ入力端子、４…ＵＨＦ入力端子、６…出力端子、８…ＶＨＦ増幅回路、１０…ＵＨＦ増幅回路、１１，１２，１８，４１，４２，４３，４４，５２，５３，５９，６１，６７，７１…コンデンサ、１４，２２，１６…ＬＰＦ、２０…高周波スイッチ、２４，２８…ＨＰＦ、２６…アクティブＬＰＦ、３０，３４，３８，４８，５４，７９…チョークコイル、３２，３６…切換スイッチ、４０，４６，５８…抵抗、５０…ツェナーダイオード、５６…ＰＩＮダイオード、６０…入力端子、６２，６４，６６…コイル、７０…出力端子、７２，７６…容量可変コンデンサ、７４，７８…バリキャップ、８０…可変抵抗、８２…判別回路、８４…制御回路、８８…スイッチング素子（トランジスタ）、９０…出力トランジスタ、Ｒ１，Ｒ２，Ｒ３…分圧抵抗。
【図１】
2010010756.tif 000003
【図２】
2010010756.tif 000004
【図３】
2010010756.tif 000005
【図４】
2010010756.tif 000006